(57)【要約】２つのノード間のネットワーク接続に割り当てられた帯域幅を制御するシステム。上記システムは、帯域幅変更要求を受信して、変更要求を満たすために、制御コマンドを生成して、接続するネットワークスイッチへ送信する。インターネット経由で利用可能な帯域幅制御インターフェースプログラムプログラムは、選択に基づき帯域幅を調節するために、選択できる帯域幅表示を生成する手順、帯域幅から選ばれた帯域幅選択を受信するコード、およびネットワークへの変更要求を送信するコードを備えている。上記インターフェースプログラムは、選択できる帯域幅の帯域幅ダイヤル表示を提供する。
2004530384.tif 000002
【特許請求の範囲】
【請求項１】
２つのノード間のネットワーク接続に割り当てられた帯域幅を制御するシステムであって：
帯域幅変更要求を受信する受信手段；
上記変更要求を満たすために、上記ネットワーク接続の複数のネットワーク要素を制御する制御コマンドを生成する生成手段；および
上記制御コマンドを上記ネットワーク要素へ送信する送信手段
を含むシステム。
【請求項２】
さらに、上記帯域幅変更要求を生成し送信するユーザインターフェースを含む請求項１に記載のシステム。
【請求項３】
さらに、上記ユーザインターフェースのユーザの遠隔コンピュータシステム上で、上記ユーザインターフェースの表示の生成のために、通信ネットワークを経由して上記ユーザインターフェースを送信する送信手段を含む請求項２に記載のシステム。
【請求項４】
上記ユーザインターフェースが、上記帯域幅変更要求に含まれる上記帯域幅の値を選択する制御を含むグラフィカルユーザインターフェースであって、請求項３に記載のシステム。
【請求項５】
上記グラフィカルユーザインターフェースは、複数の帯域幅の範囲のうち１つを選択する制御、および現在選択されている範囲に含まれる複数の帯域幅の値のうち１つを選択する制御を含む請求項４に記載のシステム。
【請求項６】
上記ユーザインターフェースが、上記通信ネットワーク経由で送信されるコードから生成された動的グラフィカルユーザインターフェースを含む請求項３に記載のシステム。
【請求項７】
上記複数のネットワーク要素は、上記変更要求を満たすために変更されなければならない設定を備え、さらに、上記複数のネットワーク要素のネットワークアドレスを決定する決定手段を含む請求項１に記載のシステム。
【請求項８】
さらに、上記ネットワーク要素からの応答を受信し解析して、それに応答して、上記変更要求が満たされたことを確認するメッセージを送信する送信手段を含む請求項１に記載のシステム。
【請求項９】
さらに、ネットワーク要素からの応答を受信し解析する解析手段、および、それに応答して、少なくともひとつの課金レコードを生成し送信する送信手段を含む請求項１に記載のシステム。
【請求項１０】
さらに、上記課金レコードの受信に対応して支払データを生成する生成手段を含む請求項９に記載のシステム。
【請求項１１】
さらに、上記変更要求が満たされたことを確認する電子メッセージを生成して、上記ユーザに送信する送信手段を含む請求項１に記載のシステム。
【請求項１２】
さらに、上記ネットワーク要素の設定変更の時間を保存する保存手段、および前回の設定変更の時間からの経過時間が所定の値未満の場合、上記変更要求を拒否する拒否手段を含む請求項１に記載のシステム。
【請求項１３】
上記ユーザインターフェースを送信する上記送信手段および上記帯域幅変更要求を受信する上記受信手段を備えたサーバ；および制御コマンドを上記生成手段および上記送信手段を備えたネットワーク制御システムを含み；上記サーバは、上記ネットワーク制御システムと通信して帯域幅変更要求を提供する請求項４に記載のシステム。
【請求項１４】
上記ネットワーク要素がパケットスイッチである請求項１〜１３のいずれか１つに記載のシステム。
【請求項１５】
ネットワーク接続に割り当てられた帯域幅を制御する方法であって：
通信ネットワークを経由した遠隔コンピュータシステムからの帯域幅変更要求を受信し；
上記要求を満たす設定変更を要求する少なくとも１つのスイッチを特定し；
上記スイッチへの設定変更コマンドを生成し送信する
方法。
【請求項１６】
さらに、上記スイッチからの応答を受信し、それへ応答して上記設定変更を確認するメッセージを送信することを含む請求項１５に記載の方法。
【請求項１７】
さらに、支払データを生成するための使用において、上記設定変更に対応する課金レコードを生成し送信することを含む請求項１６に記載の方法。
【請求項１８】
ユーザへの表示のために、グラフィカルユーザインターフェースを上記通信ネットワーク経由で、上記遠隔コンピュータシステムへ送信し、上記グラフィカルユーザインターフェースを使用する上記ユーザによりなされた選択に応答して、上記帯域幅変更要求を生成することを含む請求項１５に記載の方法。
【請求項１９】
上記グラフィカルユーザインターフェースが、上記遠隔コンピュータ上のブラウザに表示される請求項１８に記載の方法。
【請求項２０】
上記グラフィカルユーザインターフェースが、上記選択をする制御を含む帯域幅ダイヤルの表示を提供する請求項１９に記載の方法。
【請求項２１】
選択のために用いられる複数の帯域幅の表示を生成する手順；
上記複数の帯域幅から１つの帯域幅を選ぶ選択を受信する手順；および
上記選択に基づいて上記ネットワークの帯域幅を調整する要求をネットワークに送信する手順
を含む帯域幅制御インターフェースプログラム。
【請求項２２】
上記表示が、上記帯域幅のグラフ表現を含む請求項２１に記載の帯域幅制御インターフェースプログラム。
【請求項２３】
上記グラフ表現が帯域幅ダイヤルである請求項２２に記載の帯域幅制御インターフェースプログラム。
【請求項２４】
上記インターフェースが、上記表示を生成するために、サーバシステムからクライアントシステムへ、クライアント／サーバネットワーク上を送信されるように適応される請求項２１に記載の帯域幅制御インターフェースプログラム。
【請求項２５】
クライアント／サーバネットワークがインターネットである請求項２４に記載の帯域幅制御インターフェースプログラム。
【請求項２６】
請求項２１に記載の帯域幅制御インターフェースプログラム；および
上記要求を受信して、上記選択に基づいて、上記ネットワークの上記帯域幅を変更するコマンドをネットワークスイッチへ送信する制御システム
を含む帯域幅制御システム。
【発明の詳細な説明】
【技術分野】
【０００１】
本発明は通信ネットワークに関し、特にネットワーク接続に割り当てられた帯域幅を制御するシステムに関する。
【背景技術】
【０００２】
広帯域通信ネットワークは、利用者サイト間の通信を可能にするために、ネットワークプロバイダにより開設された。例えば、図１で示されるように、利用者は１つのテナントの入った建物４０と、異なる都市にある複数のテナントの入った建物３０との間に開設されたネットワーク４６を持って、企業の仮想ローカルエリアネットワーク（ＶＬＡＮ）を開設する。ネットワーク４６は例えば広帯域インターネットプロトコル（ＩＰ）コア４４を備え、ＩＰコア４４は、光ファイバーで建物に接続されていて、ネットワークスイッチ３２，３４でカスタマ構内設備（ＣＰＥ）３６、４２に接続されている。利用者にかかる費用はサイト間のネットワーク接続の帯域幅による。一般的に、利用者は、上記ネットワークに提供される帯域幅をできる限り低く保ちたい。これは費用を最低にするためである。しかし、高スループットアプリケーションに対応するために、帯域を広げる必要性が存在する場合がある。
【０００３】
既存のネットワークでは、利用者は、カスタマーサービス代表へ知らせることにより、ネットワークプロバイダから追加の帯域を要求してもよい。要求が認められた後で、ネットワークを再設定するネットワーク担当者へ上記要求が回される。これは、利用者のネットワークに必要とされる帯域幅を割り当てるためである。しかし、この過程は、利用者のニーズを素早くには充分に満たさないかもしれない。さらに、利用者は、追加の帯域幅を短時間だけ必要としているのかもしれない。これは数分間だけかもしれない。追加の帯域幅の高コストは、利用者の短期間のニーズが満たされた後、割り当てられた帯域幅を減少できることが好ましいとする。
【発明の開示】
【発明が解決しようとする課題】
【０００４】
それ故、ネットワーク接続に割り当てられた帯域幅を制御するシステムを提供することが好ましい。または、少なくとも、既存のシステムに対する有用な代替方法を提供することが好ましい。
【課題を解決するための手段】
【０００５】
本発明に基づき、２つのノード間のネットワーク接続に割り当てられた帯域幅を制御するシステムが提供されて：
帯域幅変更要求を受信する受信手段；
上記変更要求を満たすために、上記ネットワーク接続の複数のネットワーク要素を制御する制御コマンドを生成する生成手段；および
上記制御コマンドを上記ネットワーク要素へ送信する送信手段
を含むシステム。
【０００６】
本発明は、ネットワーク接続に割り当てられた帯域幅を制御する方法も提供して：
通信ネットワークを経由した遠隔コンピュータシステムからの帯域幅変更要求を受信し；
上記要求を満たす設定変更を要求する少なくとも１つのスイッチを特定し；
上記スイッチへの設定変更コマンドを生成し送信する
方法。
【０００７】
本発明は帯域幅制御インターフェースプログラムプログラムも提供して：
選択のために用いられる複数の帯域幅の表示を生成する手順；
上記複数の帯域幅から１つの帯域幅を選ぶ選択を受信する手順；および
上記選択に基づいて上記ネットワークの帯域幅を調整する要求をネットワークに送信する手順
を含む帯域幅制御インターフェースプログラム
【発明を実施するための最良の形態】
【０００８】
以下、添付の図面を参照して発明の実施の形態を説明する。
【０００９】
帯域幅制御システム１００は、図２に示されているように、利用者用のウェブサーバ１１、ネットワーク制御システム２、ネットワークモデルデータベース３、および評価エンジン５を含む。この帯域幅制御システム１００は、利用者およびネットワークサービスプロバイダの担当者に、１つの利用者ネットワークの２つのノードの間に与えられた帯域幅を動的に調整することを可能にする。これは、通信ネットワーク１０に与えられたユーザインターフェース制御を調整することにより可能となる。システムのコンポーネントが、既知のコンピュータシステム上で保存されて実行されるソフトウェアモジュールにより提供されることにより、帯域幅制御システム１００の具体化は説明される。例えば、ウェブサーバ１１は、Ｗｉｎｄｏｗｓ（登録商標）オペレーティングシステムを実行しているパーソナルコンピュータでもよいし、ネットワーク制御システム２、データベース３、および評価エンジン５は、Ｓｏｌａｒｉｓ（登録商標）２．７、Ｏｒａｃｌｅ（登録商標）データベースアプリケーション、およびＯｒａｃｌｅ（登録商標）アプリケーションサーバを実行しているＳｕｎ  Ｍｉｃｒｏｓｙｓｔｅｍｓ（登録商標）製のワークステーション上で具体化（ｉｍｐｌｅｍｅｎｔ）されていてもよい。使用されるネットワーク１０は、上記具体化ではインターネットである。帯域幅制御システム１００の多くのソフトウェアモジュールおよびハードウェア構成部品が、種々の方法で、多くの異なる位置に、配布されて、組み合わされることは当業者にとって明らかであって、ソフトウェアモジュールにより実行されるステップの少なくともいくつかは、例えば特定用途向け集積回路（ＡＳＩＣ）などのハードウェア回路により実行されてもよい。
【００１０】
図に示されるように、制御システム１００は、１つの利用者組織のため２つの建物の間のＶＬＡＮまたは仮想プライベートネットワーク（ＶＰＮ）４６を制御するために使用できて、ネットワークプロバイダにより構築できる。ネットワーク４６は、１つのテナントの入った建物４０と、複数のテナントの入った建物３０との間を接続するために光ファイバーを使用する。ここで建物は異なる都市にあってもよい。上記ネットワークは、広帯域ＩＰコア４４を通して建物をシスコ６５００シリーズスイッチ３８に接続するために光ファイバーを使用する。１つのおよび複数のテナントの入った建物４０、３０の利用者の装置３６、４２は、それぞれ、シスコ３５００シリーズおよびシスコ６５００シリーズのイーサネットスイッチ３４、３２により光ファイバーに接続される。ネットワーク４６は、現在、２つの建物３０と４０の間を１４６Ｍｂｐｓの帯域幅を提供するように設定されている。利用者は、２つの建物の間で、高スループットを必要とする新しいネットワークソフトウェアアプリケーションをテストすることを望むかもしれない。そして利用者は８００Ｍｂｐｓのスループットが必要だが、テストの間３０分だけであると見積もるとすると、制御システム１００は、図６を参照して後で説明されることを実行することにより臨時の帯域幅を割り当てるために使用できる。
【００１１】
利用者は、臨時の帯域幅を割り当てるために、ウェブブラウザアプリケーションをパーソナルコンピュータ１２上で立ち上げる。コンピュータ１２はインターネット１０に接続されるが、利用者のネットワークを経由する必要性はない。例えば、インターネット１０は、利用者の自宅からモデムおよびインターネットサービスプロバイダ（ＩＳＰ）経由でアクセスできる。一度インターネット１０に接続されると、利用者がユニヴァーサルリソースロケータ（ＵＲＬ）（またはＵＲＩ）をウェブブラウザへ入力する。これによりブラウザをネットワークサービスプロバイダへ操作されたサイトへ向ける。特にＵＲＬが、ブラウザを、ネットワークプロバイダの利用者用ウェブサーバ１１への安全なアクセスを提供するネットワークファイアウォールへ向ける。ウェブサーバ１１へのアクセスを得るために、利用者は、有効なユーザ名、パスワード、およびＲＳＡ  Ｓｅｃｕｒｉｔｙ社より提供されたＳｅｃｕｒＩＤ認証により生成された動的に生成される識別番号を使用して、ファイアウォール１にログインしなければならない。
【００１２】
ファイアウォール１にログインした後で、利用者は、ネットワークプロバイダのウェブサーバにアクセスする（図６、ステップ５００）。図３に示されているように、ウェブブラウザを使用して、利用者は、ネットワーク帯域幅インターフェースプログラム３００を表示する動的ウェブページへのハイパーリンクを選択する（ステップ５０２）。動的ウェブページはハイパーテキストマーク付け言語（ＨＴＭＬ）およびジャバスクリプトで書かれている。上記インターフェースプログラム３００は、新しい帯域幅の値を選択し有効にする帯域幅制御コンポーネント３０２、および利用者のネットワークの詳細を表示する帯域幅表示コンポーネント３２０を含む。ここで上記インターフェースプログラムは、スイッチ３２、３４、３８の確認されるべきサイトアドレスと、現在設定されているネットワーク帯域幅とを含む。
【００１３】
帯域幅制御インターフェースプログラム３００は一連のボタン３１２およびそれに対応するラベル３１６を含み、これにより利用者はあらかじめ決められたネットワーク帯域幅の範囲または帯域を選択できる。ボタン３１２の右側には、環状のダイヤル３０２が、選択された帯域内の８個までのあらかじめ決められた帯域幅の値を表示している。環状のダイヤル３０２は、円グラフにおけるように８個の区分に分けられていて、各区分は、割り当てられた使用可能な帯域幅の値を有する。ダイヤル３０２は、マウスのようなポインティングデバイスを使用して、ダイヤル３０２の対応する部分の上にポインタを移動することにより、利用者に特定の帯域幅を選択することを可能にする。例えば、図３は、最も低い帯域幅帯域１０‐２０Ｍｂｐｓを選択するためにボタン３１８を押した後のインターフェースプログラム３００を示している。この帯域内ではダイヤル３０２は８個の使用可能な帯域幅の値：１０、１１、１２、１３、１４、１５、１６、および２０Ｍｂｐｓを表示している。この図では、ダイヤルインジケータ３０６の位置、内側の環３０８の対応する区分３０７の緑色、およびダイヤルの中心３０４に表示される値により示されるように、帯域幅の値１３Ｍｂｐｓが現在選択されている。
【００１４】
図４は、マウスポインタを１５Ｍｂｐｓの区分３２４の上へ移動した後の、帯域幅制御インターフェースプログラム３００の外見を示している。ダイヤルインジケータ３０６は、次に、１５Ｍｂｐｓの区分３２４の上に位置していて、対応する内側の環状の区分３０９は緑色であって、ダイヤルの中心３０４は値１５Ｍｂｐｓを表示している。すべての帯域が８個の使用可能な帯域幅を備えているわけではない。例えば、図５は、５００‐１０００Ｍｂｐｓボタン３２２を押した後の帯域幅制御インターフェースプログラム３００を示している。この帯域には４個のみの使用可能な帯域幅の値５００、６００、８００、および１０００Ｍｂｐｓがあり、８００Ｍｂｐｓが現在選択されている。
【００１５】
選択された帯域幅を有効にするために、送信ボタン３１４が押される（ステップ５０４）。対応する要求を受信すると、ウェブサーバ１１は、ネットワーク制御システム２に帯域幅要求を送信するスクリプトを実行する（ステップ５０６）。ネットワーク制御システム２は帯域幅要求を受信して、要求が有効であるか確認するために、ネットワークモデルデータベース３上でクエリーを実行する。これは、要求された帯域幅が利用者ネットワークによりサポートされているかの確認を必要とする（ステップ５０８）。もし要求が有効ならば、データベース３上でさらにクエリーが実行される。利用者ネットワーク４６のスイッチ（複数）の設定が帯域幅要求を満たすために変更されなければならないが、クエリーの実行は、そのスイッチと、各スイッチに送られなければならないコマンドの適切なフォーマットとを特定するためである（ステップ５１０）。利用者とサイトを与えられると、ネットワークモデルデータベース３は上記スイッチのＩＰアドレスを提供する。
【００１６】
シスコスイッチの設定は、コマンドラインインターフェースおよびテルネット（ｔｅｌｎｅｔ）プロトコルを使用して、コマンドをスイッチへ送信することにより、変更できる。例えば、シスコ６５００シリーズのスイッチの‘ｖｌａｎ‐ｎａｍｅ’という名のＶＬＡＮの情報伝達速度の制限の設定を２０Ｍｂｐｓ（２０４８０ｋｂｐｓ）へ変更するには、以下のコマンドが送信される：
ｓｅｔ  ｑｏｓ  ｐｏｌｉｃｅｒ  ａｇｇｒｅｇａｔｅ  ｖｌａｎ‐ｎａｍｅ  ｒａｔｅ  ２０４８０  ｂｕｒｓｔ  ３２  ｄｒｏｐ
これは、上記情報伝達速度の制限をこえる３２ｋｂｐｓのバースト容量を備えて‘ｖｌａｎ‐ｎａｍｅ’上の総計の（すなわちすべての）トラフィックのためのサービスの品質（ＱＯＳ）トラフィック警戒ポリシーを２０４８０ｋｂｐｓへ変更して、この情報伝達速度の制限プロファイルを超えるトラフィックを落とす。
【００１７】
ネットワーク制御システム２は、変更する必要のある各スイッチのために子プロセスを生成する。各子プロセスはＥｘｐｅｃｔスクリプトを実行して、各Ｅｘｐｅｃｔスクリプトは、適切なコマンドを指定されたスイッチへ送信して、スイッチからの応答を記録する（ステップ５１２）。すべての子プロセスが終了したとき、ネットワーク制御システム２はスイッチの応答を解析する。もしスイッチの応答がすべてのＱＯＳ変更が成功したことを示すと、ネットワーク制御システム２は多くのタスクを実行する。１つのタスクは、帯域幅の変更が成功したことを示すメッセージをサーバ１１へ送信することである。サーバ１１がその通知（メッセージ）を受信すると、サーバ１１は、利用者のウェブブラウザ上に、“ＯＫ”ボタンのついた通知ウィンドウを生成する。これはネットワーク変更が成功したことを示す。利用者が通知ウィンドウを閉じるために“ＯＫ”をクリックしたとき、帯域幅制御インターフェースプログラムを含むウェブページが更新される。これは、現在のネットワーク帯域幅設定に関するネットワークモデルデータベース３へのクエリーを生成する。これは、上記インターフェースプログラムの帯域幅表示コンポーネント３２０を正確に更新するためである。ネットワーク制御システム２により実行されるもう１つのタスクは、ネットワークに行われた変更を示す電子メールのメッセージを生成して、利用者に送信することである（ステップ５１４）。
【００１８】
帯域幅が変更されたときネットワーク制御システム２により実行されるもうひとつのタスクは、課金レコードを生成して、評価エンジン５へ送信することである（ステップ５１６）。課金レコードは、例えば変更が行われた日付と時間、誰が変更を行ったか、ＶＰＮ識別コード、支払識別子、変更されたネットワークプロパティ、プロパティの新しい値などの情報を含む。評価エンジン５は、支払のビジネス上のルールおよびネットワークモデルデータベース３に記憶されたデータの集合によりレコードを評価して、総合支払明細レコード７を生成する（ステップ５１８）。支払レコード７は、新しい帯域幅の値に適用できる新しい課金、および帯域幅の値を変更する料金を反映する。評価エンジン５は、課金をまとめた電子メールメッセージも生成して、それを利用者へ送信する。総合支払明細レコード７は、特定サービスのためのレコード自動化（Ｒｅｃｏｒｄｓ  Ａｕｔｏｍａｔｉｏｎ  ｆｏｒ  Ｓｐｅｃｉａｌ  Ｓｅｒｖｉｃｅｓ）（ＲＡＳＳ）ロボット８により処理され、ＲＡＳＳロボットは、明細を、ＲＡＳＳ受注およびＲＡＳＳ追跡システム１８へ入力する。ＲＡＳＳシステム１８からのレコードは、支払システム２４により処理されて、支払システム２４は最終請求書９を生成して利用者へ送信する。
【００１９】
帯域幅制御システム１００も、ネットワークプロバイダの担当者に、利用者のためのネットワーク変更を実行可能にする。例えば、利用者はヘルプデスクオペレータに電話をして帯域幅変更を要求してもよい。オペレータは、パーソナルコンピュータ２０上で実行されるウェブブラウザを使用して、サポートサーバ１３にアクセスして、上記と同じ帯域幅制御インターフェースプログラムを利用して、利用者ネットワークの帯域幅を変更する。どちらの場合も、もし帯域幅がある期間だけ増やされて、その後もとの値に戻された場合、利用者は、ネットワークが実際に広帯域に設定された時間、増加した帯域幅に対してのみ、課金される。しかし、固定料金がすべての設定変更に適用される。サポートサーバ１３は利用者サーバ１１と同じコードを含んで、同じステップを実行して、帯域幅制御インターフェースプログラム３００を生成すると共に、帯域幅要求を生成してネットワーク制御システム２へ送信する。サポートサーバ１３は、プライベートカスタマサポート通信ネットワーク２２経由でアクセスしてもよい。
【００２０】
帯域幅制御システム１００が直接に利用者により使用される場合、または利用者の要求に応じてネットワーク担当者により使用される場合、いずれも、帯域幅制御システム１００は、利用者ネットワークに割り当てられた帯域幅を変更するネットワークスイッチを再設定するタスクを大幅に簡素化する。好ましい変更は、リアルタイムで具体化されて、設定が必要なだけ頻繁に変更してもよくて、５分の精度間隔を必要とする。もし帯域幅変更が、その変更の前に成功した帯域幅変更から５分以内に要求された場合、その要求は拒否されて、その結果のエラーメッセージがユーザのウェブブラウザへ送信される。
【００２１】
多くの改良は、添付した図への参照により、ここに説明される本発明の範囲から外れることなしに、当業者にとって明らかとなる。
【図面の簡単な説明】
【００２２】
【図１】２つの建物をつなぐ広帯域ＩＰネットワーク概略図
【図２】帯域幅制御システムの好ましい実施の形態のブロック図
【図３】帯域幅制御システムのためのグラフィカルユーザインターフェースの好ましい実施の形態のスクリーンショットイメージをあらわす図
【図４】グラフィカルユーザインターフェースの帯域幅制御コンポーネントのスクリーンショットイメージをあらわす図
【図５】グラフィカルユーザインターフェースの帯域幅制御コンポーネントのスクリーンショットイメージをあらわす図
【図６】帯域幅制御システムにより実行されるプロセスの流れ図
【符号の説明】
【００２３】
３０  複数のテナントの入った建物
３２  ネットワークスイッチ
３４  ネットワークスイッチ
３６  カスタマ構内設備（ＣＰＥ）
３８  スイッチ
４０  １つのテナントの入った建物
４２  カスタマ構内設備（ＣＰＥ）
４６  ネットワーク
３００  帯域幅制御インターフェースプログラム
３０２  帯域幅制御コンポーネント（ダイヤル）
３０４  ダイヤルの中心
３０６  ダイヤルインジケータ
３０７  対応する区分
３０８  内側の環
３１２  一連のボタン
３１４  送信ボタン
３１６  一連のボタン３１２に対応するラベル
３１８  最も低い帯域幅帯域１０‐２０Ｍｂｐｓを選択するためにボタン
３２０  利用者のネットワークの詳細を表示する帯域幅表示コンポーネント
３２２  ５００‐１０００Ｍｂｐｓボタン
３２４  １５Ｍｂｐｓの区分
【図１】
2004530384.tif 000003
【図２】
2004530384.tif 000004
【図３】
2004530384.tif 000005
【図４】
2004530384.tif 000006
【図５】
2004530384.tif 000007
【図６】
2004530384.tif 000008
【国際公開パンフレット】
2004530384.tif 000009
2004530384.tif 000010
2004530384.tif 000011
2004530384.tif 000012
2004530384.tif 000013
2004530384.tif 000014
2004530384.tif 000015
2004530384.tif 000016
2004530384.tif 000017
2004530384.tif 000018
2004530384.tif 000019
2004530384.tif 000020
2004530384.tif 000021
2004530384.tif 000022
2004530384.tif 000023
2004530384.tif 000024
2004530384.tif 000025
2004530384.tif 000026
2004530384.tif 000027
【国際調査報告】
2004530384.tif 000028
2004530384.tif 000029